(57)【特許請求の範囲】
【請求項１】
送受信部と、制御部とを備え、前記送受信部がファクシミリデータを受信すると、前記制御部は、前記ファクシミリデータのテキスト部分のみをテキストデータに変換すると共にテキストデータ以外のものには画像圧縮処置を施し、画像圧縮処理を施した後のデータを添付ファイルとして電子メールを作成し、所定の送信先へメール送信すべく上記送受信部を制御することを特徴とする通信装置。
【発明の詳細な説明】
【０００１】
【発明の属する技術分野】
本発明は通信装置に関する。
【０００２】
【従来の技術】
従来、この種の装置は例えば本出願人により特願平９−３００５５１号にて出願されている。この出願によると、送受信部と制御部等を備えた装置は、電子メールを送受信し、ファクシミリデータを送受信出来る構成となっている。
【０００３】
【発明が解決しようとする課題】
上述の様に、従来の装置が２台有れば、簡単に送受信できる。しかし、ユーザの外出先にファクシミリ装置があり、ユーザの会社に電子メールが入った場合、外出先へ転送出来ない第１の欠点がある。また、ユーザの外出先に電子メール端末機があり、ユーザの会社にファクシミリが入った場合、転送出来ない第２の欠点がある。
【０００４】
更に、ユーザの外出先に電話機があり、ユーザの会社に電子メールが入った場合、転送出来ない第３の欠点がある。これを解決するには上記装置を携帯すれば良いが、持ち歩く手間がかかる第４の欠点がある。故に本発明はこの様な従来の欠点を考慮し、ユーザの会社等に電子メール又はファクシミリが入った場合、ユーザの外出先に於て、メディアの異なる装置へも転送可能な通信装置を提供するものである。
【０００５】
【課題を解決するための手段】
上述の課題を解決する為に、本発明は、送受信部と、制御部とを備え、前記送受信部がファクシミリデータを受信すると、前記制御部は、前記ファクシミリデータのテキスト部分のみをテキストデータに変換すると共にテキストデータ以外のものには画像圧縮処置を施し、画像圧縮処理を施した後のデータを添付ファイルとして電子メールを作成し、所定の送信先へメール送信すべく上記送受信部を制御することを特徴とする。
【０００９】
【発明の実施の形態】
以下に、本発明の実施の形態に係る通信装置を図１のブロック図に従い説明する。送受信部１は例えばＤＡＡ（Ｄａｔａ  Ａｃｃｅｓｓ  Ａｒｒａｎｇｅｍｅｎｔ）から成り、一方が電話回線に接続され、他方が通信制御部２に接続されている。そして送受信部１は、電子メール又はファクシミリデータを受信するものである。
【００１０】
通信制御部２は例えば送受信データの変復調を行なうモデム部とオーディオアナログ制御部を有する集積回路素子である。マイク３は使用者が発する音声を音声信号に変換し通信制御部２へ出力するものであり、スピーカ４は通信制御部２が出力する音声信号を音声に変換する。
【００１１】
電話機５は例えばコードレス電話機であり、子機６と無線通信できる。印刷部７はイメージデータ等を印刷するものである。読取部８は原稿からイメージデータを読取るものである。入力部１０は例えばタブレットと入力ペンから成り、使用者が所望の情報を入力出来る様に構成されている。入力部１０は通信制御部２に接続されている。
【００１２】
表示部１１は例えば、４８０ドット×３２０ドットの液晶表示装置から成る。入力部１０を表示部１１上に重ねて設けても良い。制御部１２は例えばＣＰＵ（中央演算処理装置）から成り、表示部１１と、通信制御部２と、電話機５と、印刷部７と、読取部８と、ＩＤ  ＲＯＭ１３に各々接続され、本装置の制御を行なう。
【００１３】
記憶部１４はＲＡＭ１５とＲＯＭ１６から成る。ＲＡＭ１５は書込み可能の記憶装置であり、ＲＯＭ１６は制御部１２のプログラム等が記憶されている。カード制御部１７と、ＲＡＭ１５と、ＲＯＭ１６は各々バス１８に接続され、バス１８は制御部１２に接続されている。
【００１４】
電源部１９はＡＣ電源又は電池２０から電圧供給されると、所定の出力電圧を制御部１２へ供給する。ＩＦ回路２０ａの一方は制御部１２に接続され、他方は機能拡張用のハードディスクドライバ（図示せず）に接続されている。制御部１２には、３２ＫＨZの信号と、システムクロックが出力される。これらの部品に より、本通信装置２１が構成されている。
【００１５】
最初に操作者は入力部１０に所定のキー操作をする事により、図２に示す画面を表示部１１に表示させる。そして例えば、画面上のメール→ＦＡＸの先頭にチェック印を入力し（入力ペンによる）、その右隣りに転送先のファクシミリ番号を入力する。次に、画面上のメール→電話の先頭にチェック印を入力し、右側に転送先の電話番号を入力する。そして、ＦＡＸ→メールの先頭にチェック印を入力し、右側に転送先のメールアドレスを入力する。
【００１６】
次に本通信装置２１に於て「ファクシミリを受信した時の転送」の動作を図３と図４に従い説明する。図３に示す様に、送受信部１がファクシミリデータを受信すると（Ｓ１）、ファクシミリ受信処理を行う（Ｓ２）。
【００１７】
即ち図４に示す様に制御部１２は、ファクシミリからメール転送か有効かを判定する（Ｓ３）。図２に従って説明した様に、表示部１１に於て、ＦＡＸ→メールにチェック印を入力しているので、ステップＳ３はＹｅｓと判定される。この様に、入力部１０を設け、入力部１０が所定のモード（例えばＦＡＸ→メール）に選択されると、電子メール送信する様に構成されている。
【００１８】
次に、ファクシミリデータをソフトウエアによる文字認識処理を行い、ファクシミリデータのテキスト部分のみをテキストデータに変換する（Ｓ４）。そして制御手段１２は、テキストデータ以下のものをＪＰＥＧ（Ｊｏｉｎｔ  Ｐｈｏｔｏｇｒａｐｈｉｃ  Ｅｘｐｅｒｔｓ  Ｇｒｏｕｐ）等に画像圧縮を行い、画像データに変換する（Ｓ５）。
【００１９】
次に制御手段１２は、テキストデータを電子メールの本文に帖り付け、ＪＰＥＧデータを電子メールの添付ファイルとして電子メールを作成する（Ｓ６）。そして、制御手段１２は、送受信部１を介して所定の送信先（図２に示した転送先メールアドレス）へ、電子メールを転送させる（Ｓ７）。また、ＦＡＸからメールへの転送の入力がない場合は（Ｓ３）、通常のファクシミリ受信処理を行う（Ｓ８）。
【００２０】
次に本通信装置２１に於て「電子メールを受信した時の転送」の動作を図３と図５に従い説明する。図３に示す様に、送受信部１が電子メールを受信すると、ステップＳ１はＮｏと判定され、Ｓ９はＹｅｓと判定され、電子メール受信処理を行う（Ｓ１０）。
【００２１】
図５に示す様に、電子メールからファクシミリへの転送が有効か判定される（Ｓ１１）。もしも、図２に示した表示部１１に於て、メール→ＦＡＸにチェック印が入力されていれば、ステップＳ１１はＹｅｓと判定される。
【００２２】
そして制御部１２は電子メールをファクシミリデータに変換する（Ｓ１２）。即ち制御部１２は、受信した電子メールのテキストデータを例えばＧ３ＦＡＸのフォーマット（ＩＴＵ規格）に符号化する。
【００２３】
次に制御部１２は、添付ファイルの有無を調べ、添付ファイルがある場合は（Ｓ１３）、同様に、添付ファイルをＧ３ＦＡＸのフォーマットに変換する（Ｓ１４）。制御部１２は、上記ファクシミリデータを所定の送信先（図２に示した転送先ファクシミリ番号）にファクシミリ送信する（Ｓ１５）。
【００２４】
更に図２に示した表示部１１に於て、メール→電話にチェック印が入力されていれば、ステップＳ１１はＮｏと判定され、Ｓ１６はＹｅｓと判定される。
【００２５】
そして制御部１２は、受信した電子メールから、少なくとも電子メールの発信元および表題を抽出する（Ｓ１７）。制御部１２は少なくとも発信元および表題を音声データに変換し記憶手段１４に記憶させ（Ｓ１８）、所定の送信先（図２に示した転送先電話番号）へダイヤルする（Ｓ１９）。
【００２６】
転送先の相手が電話応答すると（Ｓ２０）、制御部１２は前記記憶した発信元音声データおよび表題音声データを電話送信する（Ｓ２１）。
【００２７】
この様に、入力部１０が所定のモード（例えばメール→ＦＡＸ、又はメール→電話）に選択されると、各々、ファクシミリ送信又は電話送信する様に構成されている。
【００２８】
【発明の効果】
上述の様に本発明は、制御部は、受信したファクシミリデータのテキスト部分をテキストデータに変換し、その他のデータを画像データに変換し、所定の送信先へ電子メールを送信する。その結果、ユーザの外出先に電子メール端末機があり、ユーザの会社にファクシミリが入った場合、このファクシミリをユーザの外出先に容易にかつ即座に転送する事ができる。
【図面の簡単な説明】
【図１】本発明の実施の形態に係る通信装置のブロック図である。
【図２】前記装置に設けられた表示部の画面を示す図面である。
【図３】前記装置の動作を示すフローチャートである。
【図４】図３の続きのフローチャートである。
【図５】図３の続きのフローチャートである。
【符号の説明】
１  送受信部
１２  制御部
【図１】
0003545184.tif 000002
【図２】
0003545184.tif 000003
【図３】
0003545184.tif 000004
【図４】
0003545184.tif 000005
【図５】
0003545184.tif 000006